(57)【要約】【課題】カメラ操作に不慣れなユーザであっても、迷うことなく操作性よく所望のモード表示状態へ変更できるようにする。【解決手段】表示部２４に表示された画像に対する操作指示を検出する操作検出部１１ｂと、撮像部１５から出力されるライブビュー画像と操作に関する情報を表わす情報画像とを含み、ライブビュー画像の四角形状のいずれか一辺に相当する位置に情報画像を結合させて構成される全体画像の中から表示部２４に表示させるための所定の範囲についての表示用画像を作成する表示画像作成部２１と、ライブビュー画像に対して操作指示された移動方向に基づき移動するライブビュー画像の後端に情報画像が結合されるように該ライブビュー画像に対する情報画像の結合位置を設定して全体画像を構成させ、さらなる操作指示に応じた態様で、全体画像の中から表示用画像を作成するように表示画像作成部２１を制御する表示画像制御部１１ａと、を備える。【選択図】        図２
2010124242.tif 000002
【特許請求の範囲】
【請求項１】
被写体像を撮影する撮像部と、
画像を表示する表示部と、
該表示部に表示された前記画像に対する操作指示を検出する操作検出部と、
前記撮像部から出力されるライブビュー画像と操作に関する情報を表わす情報画像とを含み、前記ライブビュー画像の四角形状のいずれか一辺に相当する位置に前記情報画像を結合させて構成される全体画像の中から前記表示部に表示させるための所定の範囲についての表示用画像を作成する表示画像作成部と、
前記操作検出部により検出された操作指示に応じた態様で、前記全体画像の中から前記表示用画像を作成するように前記表示画像作成部を制御する表示画像制御部と、
を備え、
前記表示画像制御部は、前記ライブビュー画像に対して操作指示された移動方向に基づき、該移動方向に移動する前記ライブビュー画像の後端に前記情報画像が結合されるように該ライブビュー画像に対する前記情報画像の結合位置を設定して前記全体画像を構成させ、さらなる操作指示に応じた態様で、前記全体画像の中から前記表示用画像を作成するように前記表示画像作成部を制御することを特徴とするカメラ。
【請求項２】
前記表示画像作成部は、前記情報画像として、撮影条件設定用の撮影メニュー情報を表わす撮影メニュー画像と再生条件設定用の再生メニュー情報を表わす再生メニュー画像とを結合させた画像を用いることを特徴とする請求項１に記載のカメラ。
【請求項３】
前記撮像部により撮影された撮影画像を記憶する画像記憶部をさらに備え、
前記表示画像作成部は、前記ライブビュー画像の四角形状のいずれか一辺に相当する位置に結合させた前記情報画像に対してさらに前記画像記憶部に記憶された前記撮影画像に基づく再生画像を結合させて構成される前記全体画像の中から前記表示用画像を作成することを特徴とする請求項１に記載のカメラ。
【請求項４】
前記表示画像作成部は、前記再生画像をサムネイル画像として表現することを特徴とする請求項３に記載のカメラ。
【請求項５】
前記操作検出部は、操作指示の一つとして拡大縮小指示を検出し、
前記表示画像作成部は、前記サムネイル画像及び前記情報画像が前記表示用画像に含まれ、かつ、該サムネイル画像が該表示用画像の大半を占めている場合において、前記操作検出部により前記拡大縮小指示が検出されたときには、前記情報画像の表示サイズを維持したまま、前記サムネイル画像の表示サイズを該拡大縮小指示に応じて変更した表示用画像を作成することを特徴とする請求項４に記載のカメラ。
【請求項６】
前記操作検出部は、操作指示の一つとしてスクロール指示を検出し、
前記表示画像作成部は、前記サムネイル画像及び前記情報画像が前記表示用画像に含まれ、かつ、該サムネイル画像が該表示用画像の大半を占めている場合において、前記操作検出部により前記スクロール指示が検出されたときには、前記情報画像の表示状態を維持したまま、前記サムネイル画像を該スクロール指示に応じて変更した表示用画像を作成することを特徴とする請求項４に記載のカメラ。
【請求項７】
前記表示画像作成部は、前記操作検出部により表示範囲変更の指示が検出されたときには、該表示範囲変更の指示に応じて、前記全体画像の一部が前記表示部の画面を連続的に移動するように前記表示用画像を作成することを特徴とする請求項１に記載のカメラ。
【請求項８】
前記表示部に重ねて配設されたタッチパネルをさらに備え、
前記操作検出部は、操作指示の一つとして前記タッチパネルに対するユーザ操作による指示を検出し、
前記表示画像作成部は、前記タッチパネルに対する指示に応じて、前記表示用画像を連続的に移動させることを特徴とする請求項７に記載のカメラ。
【請求項９】
前記表示画像作成部は、前記操作検出部により特定の指示が検出されたときには、該特定の指示に従い、前記ライブビュー画像または前記情報画像のみが表示される前記表示用画像を作成することを特徴とする請求項１に記載のカメラ。
【請求項１０】
前記表示画像作成部は、前記特定の指示として撮影指示が検出されたときには、前記ライブビュー画像のみが表示される前記表示用画像を作成することを特徴とする請求項９に記載のカメラ。
【請求項１１】
被写体像を撮影する撮像部と、画像を表示する表示部とを備えるカメラの表示方法であって、
前記表示部に表示された前記画像に対する操作指示を検出する操作検出ステップと、
前記撮像部から出力されるライブビュー画像と操作に関する情報を表わす情報画像とを含み、前記ライブビュー画像の四角形状のいずれか一辺に相当する位置に前記情報画像を結合させて構成される全体画像の中から、前記操作検出ステップにより検出された操作指示に応じた態様で、所定の範囲についての表示用画像を作成する表示用画像作成ステップと、
該表示用画像作成ステップにより作成された前記表示用画像を前記表示部の画面に表示させる表示ステップと、
を含み、
前記表示画像作成ステップでは、前記ライブビュー画像に対して操作指示された移動方向に基づき、該移動方向に移動する前記ライブビュー画像の後端に前記情報画像が結合されるように該ライブビュー画像に対する前記情報画像の結合位置を設定して前記全体画像を構成させ、さらなる操作指示に応じた態様で、前記全体画像の中から前記表示用画像を作成させることを特徴とするカメラの表示方法。
【請求項１２】
被写体像を撮影する撮像部と、画像を表示する表示部とを備えるカメラのコンピュータに、
前記表示部に表示された前記画像に対する操作指示を検出する操作検出機能と、
前記撮像部から出力されるライブビュー画像と操作に関する情報を表わす情報画像とを含み、前記ライブビュー画像の四角形状のいずれか一辺に相当する位置に前記情報画像を結合させて構成される全体画像の中から前記表示部に表示させるための所定の範囲についての表示用画像を作成する表示画像作成機能と、
前記操作検出機能により検出された操作指示に応じた態様で、前記全体画像の中から前記表示用画像を作成するように前記表示画像作成機能を制御する表示画像制御機能と、
を実行させ、
前記表示画像制御機能は、前記ライブビュー画像に対して操作指示された移動方向に基づき、該移動方向に移動する前記ライブビュー画像の後端に前記情報画像が結合されるように該ライブビュー画像に対する前記情報画像の結合位置を設定して前記全体画像を構成させ、さらなる操作指示に応じた態様で、前記全体画像の中から前記表示用画像を作成するように前記表示画像作成機能を制御することを特徴とする画像表示用プログラム。
【発明の詳細な説明】
【技術分野】
【０００１】
本発明は、カメラ、カメラの表示方法および画像表示用プログラムに関するものである。
【背景技術】
【０００２】
カメラに関する一連の動作を分解すると、撮影条件設定→撮影→再生条件設定→再生の４つ程度の動作からなる。そこで、カメラは、通常、これらの動作モードに分けて操作されるように設定されている。
【０００３】
まず、カメラの動作モードを大別すると、撮影モードと再生モードとの２つがある。そして、撮影モードは、実際にライブビュー画像が表示画面に表示されて撮影を実行する撮影実行モードと、撮影条件を設定するための撮影条件設定用の撮影メニューが表示画面に表示される撮影条件設定モードとに分かれる。再生モードも同様に、記録媒体に記録された画像を鑑賞するための再生実行モードと、例えばスライドショーの条件を設定する等、再生実行モードの条件を設定するための再生条件設定用の再生メニューが表示画面に表示される再生条件設定モードとに分かれる。
【０００４】
このようなカメラの使い方において、撮影メニューに関しての種々の提案例がある。その一例として、例えばメニュー情報を大きく表示させる撮像装置の提案例がある（例えば、特許文献１参照）。
【０００５】
また、撮影条件設定画面は、ライブビュー画面とは別に表示されるのが普通であるが、動画撮影用には、撮影中でも撮影条件の変更が必要になるので、ライブビュー画像に撮影条件の情報を重畳して表示させるカメラも提案されている（例えば、特許文献２参照）。
【０００６】
【特許文献１】特開２００７−３４１７５号公報
【特許文献２】特開２００６−９４１４５号公報
【発明の開示】
【発明が解決しようとする課題】
【０００７】
ところで、ユーザが、各モード間の切換え、例えば、再生条件設定モードの画面から撮影実行モードの画面に切換える際には、カメラの背面や上面に配置されたモード切換ダイヤルまたはモード切換ボタンを切換え操作する必要がある。このように、現状のカメラは、モードによって構成されているため、このようなカメラを使うためにはモード切換え操作が必須となる。しかしながら、カメラ操作に不慣れなユーザにとっては、直ぐに所望のモードに切換えることは意外に簡単ではない。なぜなら、カメラの背面や上面のボタンスペースは十分に広いわけでなく、かつ、モード切換え用以外のボタン類も必要となるので、モード切換ダイヤルまたはモード切換ボタンを理想的な配置、大きさにすることができない制約を受けるためである。また、元のモードに戻すにも、やはり、モード切換ダイヤルまたはモード切換ボタンを再度切換え操作する必要がある。
【０００８】
この点、近年では、液晶モニタにタッチパネルを搭載し、液晶モニタ上でのタッチ操作で入力指示を行えるカメラも市販されているが、この場合でも、タッチパネル上に各モード設定用アイコンの他に、他の用途のアイコンも配置させなければならないので、所望のモードに設定することは意外に簡単ではない、という事情は、同様である。
【０００９】
本発明は、上記に鑑みてなされたものであって、カメラ操作に不慣れなユーザであっても、迷うことなく操作性よく所望のモード表示状態へ変更することができるカメラ、カメラの表示方法および画像表示用プログラムを提供することを目的とする。
【課題を解決するための手段】
【００１０】
上述した課題を解決し、目的を達成するために、本発明にかかるカメラは、被写体像を撮影する撮像部と、画像を表示する表示部と、該表示部に表示された前記画像に対する操作指示を検出する操作検出部と、前記撮像部から出力されるライブビュー画像と操作に関する情報を表わす情報画像とを含み、前記ライブビュー画像の四角形状のいずれか一辺に相当する位置に前記情報画像を結合させて構成される全体画像の中から前記表示部に表示させるための所定の範囲についての表示用画像を作成する表示画像作成部と、前記操作検出部により検出された操作指示に応じた態様で、前記全体画像の中から前記表示用画像を作成するように前記表示画像作成部を制御する表示画像制御部と、を備え、前記表示画像制御部は、前記ライブビュー画像に対して操作指示された移動方向に基づき、該移動方向に移動する前記ライブビュー画像の後端に前記情報画像が結合されるように該ライブビュー画像に対する前記情報画像の結合位置を設定して前記全体画像を構成させ、さらなる操作指示に応じた態様で、前記全体画像の中から前記表示用画像を作成するように前記表示画像作成部を制御することを特徴とする。
【００１１】
また、本発明にかかるカメラは、上記発明において、前記表示画像作成部は、前記情報画像として、撮影条件設定用の撮影メニュー情報を表わす撮影メニュー画像と再生条件設定用の再生メニュー情報を表わす再生メニュー画像とを結合させた画像を用いることを特徴とする。
【００１２】
また、本発明にかかるカメラは、上記発明において、前記撮像部により撮影された撮影画像を記憶する画像記憶部をさらに備え、前記表示画像作成部は、前記ライブビュー画像の四角形状のいずれか一辺に相当する位置に結合させた前記情報画像に対してさらに前記画像記憶部に記憶された前記撮影画像に基づく再生画像を結合させて構成される前記全体画像の中から前記表示用画像を作成することを特徴とする。
【００１３】
また、本発明にかかるカメラは、上記発明において、前記表示画像作成部は、前記再生画像をサムネイル画像として表現することを特徴とする。
【００１４】
また、本発明にかかるカメラは、上記発明において、前記操作検出部は、操作指示の一つとして拡大縮小指示を検出し、前記表示画像作成部は、前記サムネイル画像及び前記情報画像が前記表示用画像に含まれ、かつ、該サムネイル画像が該表示用画像の大半を占めている場合において、前記操作検出部により前記拡大縮小指示が検出されたときには、前記情報画像の表示サイズを維持したまま、前記サムネイル画像の表示サイズを該拡大縮小指示に応じて変更した表示用画像を作成することを特徴とする。
【００１５】
また、本発明にかかるカメラは、上記発明において、前記操作検出部は、操作指示の一つとしてスクロール指示を検出し、前記表示画像作成部は、前記サムネイル画像及び前記情報画像が前記表示用画像に含まれ、かつ、該サムネイル画像が該表示用画像の大半を占めている場合において、前記操作検出部により前記スクロール指示が検出されたときには、前記情報画像の表示状態を維持したまま、前記サムネイル画像を該スクロール指示に応じて変更した表示用画像を作成することを特徴とする。
【００１６】
また、本発明にかかるカメラは、上記発明において、前記表示画像作成部は、前記操作検出部により表示範囲変更の指示が検出されたときには、該表示範囲変更の指示に応じて、前記全体画像の一部が前記表示部の画面を連続的に移動するように前記表示用画像を作成することを特徴とする。
【００１７】
また、本発明にかかるカメラは、上記発明において、前記表示部に重ねて配設されたタッチパネルをさらに備え、前記操作検出部は、操作指示の一つとして前記タッチパネルに対するユーザ操作による指示を検出し、前記表示画像作成部は、前記タッチパネルに対する指示に応じて、前記表示用画像を連続的に移動させることを特徴とする。
【００１８】
また、本発明にかかるカメラは、上記発明において、前記表示画像作成部は、前記操作検出部により特定の指示が検出されたときには、該特定の指示に従い、前記ライブビュー画像または前記情報画像のみが表示される前記表示用画像を作成することを特徴とする。
【００１９】
また、本発明にかかるカメラは、上記発明において、前記表示画像作成部は、前記特定の指示として撮影指示が検出されたときには、前記ライブビュー画像のみが表示される前記表示用画像を作成することを特徴とする。
【００２０】
また、本発明にかかるカメラの表示方法は、被写体像を撮影する撮像部と、画像を表示する表示部とを備えるカメラの表示方法であって、前記表示部に表示された前記画像に対する操作指示を検出する操作検出ステップと、前記撮像部から出力されるライブビュー画像と操作に関する情報を表わす情報画像とを含み、前記ライブビュー画像の四角形状のいずれか一辺に相当する位置に前記情報画像を結合させて構成される全体画像の中から、前記操作検出ステップにより検出された操作指示に応じた態様で、所定の範囲についての表示用画像を作成する表示用画像作成ステップと、該表示用画像作成ステップにより作成された前記表示用画像を前記表示部の画面に表示させる表示ステップと、を含み、前記表示画像作成ステップでは、前記ライブビュー画像に対して操作指示された移動方向に基づき、該移動方向に移動する前記ライブビュー画像の後端に前記情報画像が結合されるように該ライブビュー画像に対する前記情報画像の結合位置を設定して前記全体画像を構成させ、さらなる操作指示に応じた態様で、前記全体画像の中から前記表示用画像を作成させることを特徴とする。
【００２１】
また、本発明にかかる画像表示用プログラムは、被写体像を撮影する撮像部と、画像を表示する表示部とを備えるカメラのコンピュータに、前記表示部に表示された前記画像に対する操作指示を検出する操作検出機能と、前記撮像部から出力されるライブビュー画像と操作に関する情報を表わす情報画像とを含み、前記ライブビュー画像の四角形状のいずれか一辺に相当する位置に前記情報画像を結合させて構成される全体画像の中から前記表示部に表示させるための所定の範囲についての表示用画像を作成する表示画像作成機能と、前記操作検出機能により検出された操作指示に応じた態様で、前記全体画像の中から前記表示用画像を作成するように前記表示画像作成機能を制御する表示画像制御機能と、を実行させ、前記表示画像制御機能は、前記ライブビュー画像に対して操作指示された移動方向に基づき、該移動方向に移動する前記ライブビュー画像の後端に前記情報画像が結合されるように該ライブビュー画像に対する前記情報画像の結合位置を設定して前記全体画像を構成させ、さらなる操作指示に応じた態様で、前記全体画像の中から前記表示用画像を作成するように前記表示画像作成機能を制御することを特徴とする。
【発明の効果】
【００２２】
本発明によれば、カメラ操作に不慣れなユーザであっても、迷うことなく操作性よく所望のモード表示状態へ変更することができるカメラ、カメラの表示方法および画像表示用プログラムを提供することができる。
【発明を実施するための最良の形態】
【００２３】
以下、図面を参照して、本発明を実施するための最良の形態について説明する。
【００２４】
図１は、本発明のカメラであるデジタルカメラの概略構成例を示す背面図である。本実施の形態のデジタルカメラ１は、レリーズ操作部１２ａ、ズーム操作部１２ｂ、表示モード設定操作部１２ｃ、モード設定操作部１２ｄ、方向操作部１２ｅ等の各種操作ボタンを備えている。レリーズ操作部１２ａは、カメラ本体の上面に配設されて撮影タイミングを操作指示するためのボタンである。ズーム操作部１２ｂは、カメラ本体の背面に配設されて拡大縮小を操作指示するためのボタンである。表示モード設定操作部１２ｃは、カメラ本体の背面に配設されて通常の表示モードと本実施の形態の特徴とするマルチ画面表示モードとのいずれかを選択するよう操作指示するためのボタンである。モード設定操作部１２ｄは、カメラ本体の背面に配設されて撮影実行モード、再生実行モード、撮影条件設定モード、再生条件設定モードのいずれかを選択設定するためのダイヤルである。このモード設定操作部１２ｄは、表示モード設定操作部１２ｃが通常の表示モードに設定されている場合に有効とされる。方向操作部１２ｅは、カメラ本体の背面に配設されて上下左右の方向を指示するためのボタンである。これらレリーズ操作部１２ａ、ズーム操作部１２ｂ、表示モード設定操作部１２ｃ、モード設定操作部１２ｄ、方向操作部１２ｅ等により操作部１２（図２参照）が構成されている。
【００２５】
また、デジタルカメラ１は、カメラ本体の背面の大半の領域を占める表示部２４を備えている。この表示部２４は、再生画像やライブビュー画像の他に、各種設定情報等を含む表示用画像を表示するためのものであり、ＬＣＤやＥＬＤ等の薄型表示装置で実現されている。また、デジタルカメラ１は、特に図示しないが、カメラ本体の前面側に撮影レンズ等の撮像光学系を備え、カメラ本体に内蔵の撮像素子に被写体像を結像可能に構成されている。
【００２６】
図２は、本実施の形態のデジタルカメラ１のシステム構成例を示すブロック図である。本実施の形態のデジタルカメラ１は、デジタルカメラ１を構成する各部に対する指示やデータ転送等を行い、デジタルカメラ１の動作を統括的に制御するためのＣＰＵからなる制御部１１を備える。また、デジタルカメラ１は、撮像部１５、ＲＡＭ１６、画像処理部１７、圧縮伸長部１８、記録・再生部１９、表示画像作成部２１、表示駆動部２３、外部ＩＦ部２５の各部を備える。これら各部は、制御部１１に対してバスライン３０によって接続されている。
【００２７】
撮像部１５は、カメラ部と撮像処理部とからなる。カメラ部は、デジタルカメラ１が被写体像を撮影するためのものであり、撮影レンズ、撮像素子、絞り、シャッタ、ＡＦ機構、ＡＦ駆動回路、ズーム機構、ズーム駆動機構等からなる。ここで、撮像素子は、例えばＣＣＤやＣＭＯＳセンサ等の２次元固体撮像素子からなり、撮影レンズを含む撮影光学系を通して入射する被写体像を光電変換し、アナログ電気信号として出力する。また、撮像処理部は、撮像素子駆動回路を含む他、撮像素子から出力されるアナログ電気信号に対してＡＧＣ、ＣＤＳ等のアナログ信号処理を施した後、Ａ／Ｄコンバータでデジタル電気信号に変換して出力させるためのものである。
【００２８】
ＲＡＭ１６は、例えばＳＤＲＡＭからなり、一時記憶メモリやワーキングエリアとして利用されるメモリであり、撮像部１５から出力されるデジタル電気信号や、画像処理部１７による処理中の画像データ等を一時的に記憶する。
【００２９】
画像処理部１７は、撮像部１５から出力されるデジタル電気信号に対して画素補間処理、色補正処理、ガンマ処理等の各種の画像処理を施すとともに、記録用、表示用等に適した画像データに変換する処理を行う。すなわち、画像処理部１７は、記録時（撮影時）には、記録画像に対しては記録用の画像処理を施し、表示用のライブビュー画像に対しては表示用の簡易な画像処理を施す。また、画像処理部１７は、電子ズームが指示された場合には、電子ズーム処理も行う。
【００３０】
圧縮伸長部１８は、撮影画像の画像データを画像記憶部２０に記録する際、あるいは画像記憶部２０に記録されている画像データを表示する際等において、周知のＪＰＥＧ方式等に基づく画像データの圧縮処理や伸長処理を行う。
【００３１】
記録・再生部１９は、画像記憶部２０に対する画像データの書き込みや画像記憶部２０からの画像データの読出しを行うためのものであり、画像記憶部２０の種類に応じたものが用いられる。ここで、画像記憶部２０は、例えばｘＤ−ピクチャーカード（登録商標）やコンパクトフラッシュ（登録商標）カード等のカメラ本体に着脱自在な記録媒体や、ＨＤＤである。
【００３２】
表示駆動部２３は、エンコーダやＤ／Ａコンバータ等を有して、表示部２４に対する各種情報の表示を行わせるためのドライバである。また、外部ＩＦ部２５は、例えばＵＳＢ等の規格によってデジタルカメラ１を、例えばパソコン、プリンタ、携帯電話等の外部機器と接続するためのインタフェースであり、ＵＳＢ端子を備えている。
【００３３】
また、表示画像作成部２１は、後述するように全体画像の中から表示部２４の画面に表示させるための所定の範囲についての表示用画像を作成し、作成した表示用画像を表示部２４に表示させるためのものである。この全体画像とは、撮像部１５から出力されるライブビュー画像と操作に関する情報を表わす情報画像と画像記憶部２０に記憶された撮影画像に基づく再生画像とを結合させて構成される画像である。特に、本実施の形態の全体画像は、ライブビュー画像の四角形状のいずれか一辺に相当する位置に情報画像を結合させ、さらには、この情報画像に再生画像を結合させて構成される画像である。このために、表示画像作成部２１は、撮像部１５から出力されるライブビュー画像や、画像記憶部２０に記憶された撮影画像に基づく再生画像とともに、メニューデータ記憶部２２に記憶された撮影条件設定用の撮影メニュー情報を表わす撮影メニュー画像や再生条件設定用の再生メニュー情報を表わす再生メニュー画像を用いる。
【００３４】
さらに、制御部１１には、プログラムデータ記憶部１４が接続されている。このプログラムデータ記憶部１４は、例えばフラッシュメモリ等の電気的に書換えが可能な不揮発性メモリである。このプログラムデータ記憶部１４は、デジタルカメラ１を動作させ、このデジタルカメラ１が備える種々の機能を実現するためのＣＰＵ用のプログラム（例えば、画像表示用プログラム）や、このプログラムの実行中に使用されるデータ、例えば、後述する表示用画像中に表示させるアイコン、文字などのデータが予め格納されている。
【００３５】
また、本実施の形態の制御部１１は、画像表示用プログラムにより実行される機能として、表示画像制御部１１ａと操作検出部１１ｂとの各機能部を備える。操作検出部１１ｂは、表示部２４の画面に表示される表示用画像に対するユーザの直接的な操作指示や、操作部１２を通じた表示用画像に対するユーザの間接的な操作指示を検出するための機能部である。ここで、本実施の形態では、表示用画像を表示する表示部２４の画面に重ねて配設されたタッチパネル１３を備えている。これにより、本実施の形態では、操作検出部１１ｂは、操作指示の一つとして、このタッチパネル１３に対するユーザの操作指示を検出することで、表示用画像に対するユーザの直接的な操作指示の検出動作を実行する。
【００３６】
また、表示画像制御部１１ａは、操作検出部１１ｂにより検出された操作指示に応じた態様で、後述の全体画像の中から画面相当の所定の範囲の表示用画像を作成するように表示画像作成部２１を制御するための機能部である。この表示画像制御部１１ａは、本実施の形態では、後述するように、ライブビュー画像に対して操作指示された移動方向に基づき、その移動方向に移動するライブビュー画像の後端に情報画像が結合されるようにライブビュー画像に対する情報画像の結合位置を設定して全体画像を構成させ、さらなる操作指示に応じた態様で、全体画像の中から表示用画像を作成するように表示画像作成部２１を制御する。
【００３７】
つぎに、表示モード設定操作部１２ｃの操作によりマルチ画面表示モードが設定された場合に、表示画像制御部１１ａによる制御の下に実行される表示画像作成部２１の表示用画像の作成の概要を説明する。図３は、マルチ画面表示モードによる表示開始時からの全体画像の構成の仕方を模式的に示す説明図である。まず、図３（ａ）は、マルチ画面表示モードの開始時に表示部２４の画面２４ａに表示される表示用画像Ｖｄの例を示す説明図である。ここでは、撮像部１５により撮影されたライブビュー画像Ｖａがそのまま表示用画像Ｖｄとして画面２４ａに表示される。ライブビュー画像Ｖａは、撮像部１５から得られる画像であり、表示部２４の画面２４ａに対応するサイズとされる。なお、図３（ａ）の画面２４ａ中に示すＵ，Ｄ，Ｌ，Ｒの移動方向を示す十字矢印は、方向を示すための説明用であり、画面２４ａにおいては非表示である。
【００３８】
このようなスタート時の画面表示において、ユーザは、タッチパネル１３（画面２４ａ）上に指先を触れてライブビュー画像Ｖａのスクロール指示を行うことで、画面２４ａにおける表示範囲の変更指示が可能となる。図３（ｂ）は、図３（ａ）に示すスタート時の画面２４ａからライブビュー画像Ｖａを例えばＲ方向に移動させるスクロール指示がなされた場合に画面２４ａに表示される表示用画像Ｖｄの例を示す説明図である。
【００３９】
表示画像制御部１１ａは、ライブビュー画像Ｖａに対して操作指示されたＲ方向なる移動方向に基づき、このＲ方向に移動するライブビュー画像Ｖａの後端である左辺に情報画像Ｖｍが結合され、さらには、この情報画像Ｖｍの左側に再生画像Ｖｂが結合されるようにライブビュー画像Ｖａに対する情報画像Ｖｍおよび再生画像Ｖｂの結合位置を設定して全体画像Ｖｔを構成させるように表示画像作成部２１を制御する。
【００４０】
したがって、表示画像作成部２１は、マルチ画面表示モードに設定され、ライブビュー画像Ｖａに対してＲ方向の移動指示が検出された場合には、画面２４ａに表示させる表示用画像Ｖｄを作成する基礎として、図３（ｂ）に示すように、ライブビュー画像Ｖａの移動方向後端である左辺側に出現画像が展開される全体画像Ｖｔを用意する。
【００４１】
図４は、図３（ｂ）中の全体画像Ｖｔのみを抽出してその構成例を模式的に示す説明図である。この左側展開の全体画像Ｖｔは、四角形状のライブビュー画像Ｖａを基準として、その左辺側に情報画像Ｖｍと再生画像Ｖｂとを同一平面内で重ならないように順次一体的に結合させることにより構成されたものである。ライブビュー画像Ｖａは、上述したように、表示部２４の画面２４ａに対応するサイズとされる。また、情報画像Ｖｍは、デジタルカメラ１の操作に関する情報を表わす画像である。
【００４２】
ここで、本実施の形態では、情報画像Ｖｍは、撮影メニュー画像Ｖｒと再生メニュー画像Ｖｐとが縦２列となるように結合させてなる。撮影メニュー画像Ｖｒは、「撮影メニュー」のタイトル画像とともに撮影条件設定用の撮影メニュー情報Ｍｒを表わす画像である。また、再生メニュー画像Ｖｐは、「再生メニュー」のタイトル画像とともに再生条件設定用の再生メニュー情報Ｍｐを表わす画像である。ここで、撮影メニュー情報Ｍｒは、「画質」「リセット」「カメラメニュー」「設定」「パノラマ」「ＳＣＮ（シーンセレクトメニュー）」「消音モード」等の撮影条件設定に関する項目が文字情報として用意されている。また、再生メニュー情報Ｍｐは、「ＳＳ（スライドショー）」「編集」「プリント予約」「簡単補正」「表示メニュー」「設定」「ＰＫＲ（ポケット写真登録）」「消去」「消音モード」等の再生条件設定に関する項目が文字情報として用意されている。これら撮影メニュー画像Ｖｒ、再生メニュー画像Ｖｐは、メニューデータ記憶部２２に記憶されている撮影条件や再生条件に関するメニューデータを参照することにより、表示画像作成部２１において作成可能な画像である。また、撮影メニュー画像Ｖｒ、再生メニュー画像Ｖｐは、撮影メニュー情報Ｍｒ、再生メニュー情報Ｍｐを表わす文字情報が判読可能となるサイズに設定されている。
【００４３】
また、再生画像Ｖｂは、撮像部１５により撮影されて画像記憶部２０に記憶された撮影画像に基づく画像であり、撮影済みの画像を簡易に閲覧するために用意されている。この再生画像Ｖｂは、本実施の形態では、例えば縦３列の複数のサムネイル画像Ｖｓの集合体として表現されている。なお、各サムネイル画像Ｖｓに関して、実際の画像表示は図示を省略し、例えば１〜２６（２６枚の場合）の如く示す画像番号で区別して示すものとする。
【００４４】
なお、図３（ｂ）および図４では左側展開の全体画像Ｖｔの構成例の場合について例示したが、表示画像制御部１１ａは、ライブビュー画像Ｖａに対して操作指示された移動方向に応じて展開方向の異なる全体画像Ｖｔを構成するように表示画像作成部２１を制御する。
【００４５】
図５は、図３（ａ）に示すスタート時の画面２４ａからライブビュー画像Ｖａを例えばＬ方向に移動させるスクロール指示がなされた場合に構成される全体画像Ｖｔのイメージを示す説明図である。表示画像制御部１１ａは、ライブビュー画像Ｖａに対して操作指示されたＬ方向なる移動方向に基づき、このＬ方向に移動するライブビュー画像Ｖａの後端である右辺に情報画像Ｖｍが結合され、さらには、この情報画像Ｖｍの右側に再生画像Ｖｂが結合されるようにライブビュー画像Ｖａに対する情報画像Ｖｍおよび再生画像Ｖｂの結合位置を設定して右側展開の全体画像Ｖｔを構成させるように表示画像作成部２１を制御する。
【００４６】
図６は、図３（ａ）に示すスタート時の画面２４ａからライブビュー画像Ｖａを例えばＵ方向に移動させるスクロール指示がなされた場合に構成される全体画像Ｖｔのイメージを示す説明図である。表示画像制御部１１ａは、ライブビュー画像Ｖａに対して操作指示されたＵ方向なる移動方向に基づき、このＵ方向に移動するライブビュー画像Ｖａの後端である底辺に情報画像Ｖｍが結合され、さらには、この情報画像Ｖｍの下側に再生画像Ｖｂが結合されるようにライブビュー画像Ｖａに対する情報画像Ｖｍおよび再生画像Ｖｂの結合位置を設定して下側展開の全体画像Ｖｔを構成させるように表示画像作成部２１を制御する。なお、情報画像Ｖｍを構成する撮影メニュー画像Ｖｒと再生メニュー画像Ｖｐは、横２列の配列とされ、サムネイル画像Ｖｓは、横３列の配列とされる。
【００４７】
図７は、図３（ａ）に示すスタート時の画面２４ａからライブビュー画像Ｖａを例えばＤ方向に移動させるスクロール指示がなされた場合に構成される全体画像Ｖｔのイメージを示す説明図である。表示画像制御部１１ａは、ライブビュー画像Ｖａに対して操作指示されたＤ方向なる移動方向に基づき、このＤ方向に移動するライブビュー画像Ｖａの後端である上辺に情報画像Ｖｍが結合され、さらには、この情報画像Ｖｍの上側に再生画像Ｖｂが結合されるようにライブビュー画像Ｖａに対する情報画像Ｖｍおよび再生画像Ｖｂの結合位置を設定して上側展開の全体画像Ｖｔを構成させるように表示画像作成部２１を制御する。
【００４８】
このような全体画像Ｖｔは、本実施の形態では、仮想の画像として規定されるが、実際に作成してＲＡＭ１６等のメモリに格納するようにしてもよい。そして、本実施の形態では、ライブビュー画像Ｖａ（全体画像Ｖｔ）を、Ｕ（上方向）、Ｄ（下方向）、Ｌ（左方向）、Ｒ（右方向）の各方向に適宜スクロールさせるイメージで、表示範囲の限られた表示部２４の画面２４ａにおける表示用画像Ｖｄの表示範囲変更の指示を可能とするものである。これに対応して、表示画像作成部２１は、操作検出部１１ｂにより表示範囲変更の指示が検出されたときには、この表示範囲変更の指示に応じて、全体画像Ｖｔの一部が表示部２４の画面２４ａを連続的に移動するように表示用画像Ｖｄを順次作成する。
【００４９】
このため、表示画像制御部１１ａは、さらなる操作指示に応じた態様で、全体画像Ｖｔの中から表示用画像Ｖｄを作成するように表示画像作成部２１を制御する。ここで、各方向に展開され得る全体画像Ｖｔのいずれの場合でも同様であり、本実施の形態では、主に、左側展開の全体画像Ｖｔを用いる例で説明する。
【００５０】
図８は、図３（ｂ）に示した状態よりもライブビュー画像ＶａをさらにＲ方向に移動させる操作指示を行った場合の表示用画像Ｖｄの表示例を模式的に示す説明図である。なお、図８（ａ）の画面２４ａ中に示すＵ，Ｄ，Ｌ，Ｒの移動方向を示す十字矢印は、移動方向を示すための説明用であり、画面２４ａにおいては非表示である。このような画面表示において、ユーザは、タッチパネル１３（画面２４ａ）上に指先を触れて全体画像Ｖｔのスクロール指示を行うことで、画面２４ａにおける表示範囲の変更指示が可能となる。表示画像作成部２１は、操作検出部１１ｂによりＲ方向のスクロール指示（表示範囲変更の指示）が検出されたときには、このスクロール指示に応じて、全体画像Ｖｔの一部が表示部２４の画面２４ａを連続的に移動するように表示用画像Ｖｄを順次作成する。よって、表示画像作成部２１は、図８（ａ）に示す例では、ライブビュー画像Ｖａの左側の一部と情報画像Ｖｍの右側の一部とからなる表示用画像Ｖｄを作成して画面２４ａに表示させる。
【００５１】
さらなるＲ方向のスクロール指示が検出されたときには、表示画像作成部２１は、図８（ｂ）に示すように、ライブビュー画像Ｖａが殆ど消えて、情報画像Ｖｍの一部と再生画像Ｖｂ（サムネイル画像Ｖｓ）の一部とからなる表示用画像Ｖｄを作成して画面２４ａに表示させる。なお、表示画像作成部２１は、図８（ｂ）に示すように、ライブビュー画像Ｖａが画面２４ａに殆ど表示されなくなった時点（表示用画像Ｖｄ中に殆ど含まれなくなった時点、例えば２０％以下）で、表示用画像Ｖｄ中の一部（画面２４ａの右下）にライブアイコンＬｉを表示させる。
【００５２】
また、図８（ｃ）は、図８（ｂ）に示す表示状態において、タッチパネル１３（画面２４ａ）上で特定の指示としてライブアイコンＬｉにタッチ操作がなされた場合に画面２４ａに表示される表示用画像Ｖｄの例を示す説明図である。表示画像作成部２１は、操作検出部１１ｂによりライブアイコンＬｉのタッチによる特定の指示が検出されたときには、ライブビュー画像Ｖａのみを表示用画像Ｖｄとして作成し、画面２４ａに表示させる。このようにして、図８（ｂ）に例示するような現在の表示状態に関わらず、ライブアイコンＬｉのワンタッチ操作により図８（ｃ）に示すようなライブビュー画像Ｖａの表示に一気にジャンプすることとなる。
【００５３】
図９（ａ）は、再生画像Ｖｂ（サムネイル画像Ｖｓ）のみの表示用画像Ｖｄの場合の表示例を示す説明図である。この表示例は、例えば図３（ｂ）の表示例において、タッチパネル１３（画面２４ａ）上に指先を触れて全体画像Ｖｔを一番右側までに移動させるイメージのスクロール指示を行った場合である。このようなスクロール指示が検出されると、表示画像作成部２１は、図９（ａ）に示すように、再生画像Ｖｂ（サムネイル画像Ｖｓ）のみからなる表示用画像Ｖｄを作成して画面２４ａに表示させる。
【００５４】
なお、表示画像作成部２１は、情報画像Ｖｍが画面２４ａに殆ど表示されなくなった時点（表示用画像Ｖｄ中に殆ど含まれなくなった時点、例えば２０％以下）で、表示用画像Ｖｄ中の一部（画面２４ａの右下）にメニューアイコンＭｉをライブアイコンＬｉとともに表示させる。図９（ａ）に示す表示状態で、メニューアイコンＭｉにタッチされたことが検出されると、表示画像作成部２１は、特定の指示として、表示用画像Ｖｄを図９（ｂ）の状態に一気に切換える。また、図９（ａ）に示す表示状態で、ライブアイコンＬｉにタッチされたことが検出されると、表示画像作成部２１は、特定の指示として、表示用画像Ｖｄを図８（ｃ）の状態に一気に切換える。
【００５５】
図１０（ａ）は、再生画像Ｖｂ（サムネイル画像Ｖｓ）を含むが、主に情報画像Ｖｍからなる表示用画像Ｖｄの場合の表示例を示す説明図である。この表示例において、タッチパネル１３（画面２４ａ）上に指先を触れて全体画像Ｖｔを左側に移動させるイメージのスクロール指示を行うと、表示画像作成部２１は、図１０（ｂ）に示すように、再生画像Ｖｂ（サムネイル画像Ｖｓ）が消え、情報画像Ｖｍのみからなる表示用画像Ｖｄを作成して画面２４ａに表示させる。図１０（ａ）や図１０（ｂ）に示す表示状態においては、所望のメニュー情報ＭｒまたはＭｐ部分にタッチすることで、タッチされた部分のメニュー内容の選択が可能である。そして、所望のメニュー内容が選択されると、表示画像作成部２１は、その下位階層のメニュー情報を表示用画像Ｖｄの一部として作成して画面２４ａに併せて表示させる。
【００５６】
ここで、図１０（ｂ）は、第１階層として用意されている撮影メニュー情報Ｍｒ中の太枠で示す「カメラメニュー」が選択操作された場合に、「カメラメニュー」に関連する下位階層の撮影メニュー情報Ｍｒ２が表示された状態を示している。「カメラメニュー」用の下位階層の撮影メニュー情報Ｍｒ２は、「ＷＢ（ホワイトバランス）」「ＩＳＯ感度」「ドライブ」「Ｆズーム」「Ｄズーム」「ＡＦ方式」「露光」等の撮影条件設定に関する項目が文字情報として用意されている。このような下位階層の撮影メニュー情報Ｍｒ２も、メニューデータ記憶部２２に記憶されている撮影条件等に関するメニューデータを参照することにより、表示画像作成部２１において作成可能な画像である。また、下位階層の撮影メニュー情報Ｍｒ２を表わす文字情報も判読可能となるサイズに設定されている。そして、図８（ｂ）では、太枠で示す「ＷＢ」が選択操作されている場合を示している。
【００５７】
つづいて、図１１でズーム操作部１２ｂによる操作指示の一つとして拡大縮小指示がなされた場合の表示例について説明する。図１１（ａ）は、図１０（ａ）の場合と同じ表示用画像Ｖｄの場合の表示例を示す説明図である。この表示例において、ズーム操作部１２ｂにより拡大指示がなされたことが操作検出部１１ｂにより検出されると、表示画像作成部２１は、図１１（ｂ）に示すように、表示用画像Ｖｄ全体を指示された拡大倍率に従い拡大させて画面２４ａに表示させる。縮小指示の場合も同様である。また、ライブビュー画像Ｖａのみの場合も同様である。
【００５８】
一方、図１２（ａ）は、表示用画像Ｖｄに再生画像Ｖｂ（サムネイル画像Ｖｓ）および情報画像Ｖｍが含まれ、かつ、再生画像Ｖｂ（サムネイル画像Ｖｓ）が表示用画像Ｖｄの大半（６０％以上、あるいは８０％以上）を占めている場合の表示例を示す説明図である。このような状態での表示例において、ズーム操作部１２ｂにより拡大指示がなされたことが操作検出部１１ｂにより検出されると、表示画像作成部２１は、図１２（ｂ）に示すように、情報画像Ｖｍの表示サイズは変更しないで、サムネイル画像Ｖｓの表示サイズを指示された拡大倍率に従い拡大させた表示用画像Ｖｄを画面２４ａに表示させる。同様に、ズーム操作部１２ｂにより縮小指示がなされたことが操作検出部１１ｂにより検出されると、表示画像作成部２１は、図１２（ｃ）に示すように、情報画像Ｖｍの表示サイズは変更しないで、サムネイル画像Ｖｓの表示サイズを指示された縮小倍率に従い縮小させた表示用画像Ｖｄを画面２４ａに表示させる。
【００５９】
また、タッチパネル１３による操作指示の一つとしてスクロール指示がなされた場合の表示例について説明する。図１３（ａ）は、表示用画像Ｖｄに再生画像Ｖｂ（サムネイル画像Ｖｓ）および情報画像Ｖｍが含まれ、かつ、再生画像Ｖｂ（サムネイル画像Ｖｓ）が表示用画像Ｖｄの大半（６０％以上、あるいは８０％以上）を占めている場合の表示例を示す説明図である。このような状態での表示例において、タッチパネル１３へのタッチ操作によりスクロール指示がなされたことが操作検出部１１ｂにより検出されると、表示画像作成部２１は、図１３（ｂ）に示すように、情報画像Ｖｍの表示状態（表示位置）を維持したまま、サムネイル画像Ｖｓをスクロール指示に応じて順次変更する表示用画像Ｖｄを作成して画面２４ａに表示させる。すなわち、サムネイル画像Ｖｓのみが順次スクロール表示される表示態様となる。
【００６０】
図１４は、図６に示したような下側展開の全体画像Ｖｔを用いる場合において、表示用画像Ｖｄにサムネイル画像Ｖｓおよび情報画像Ｖｍ（ここでは、タイトル画像）が含まれ、かつ、サムネイル画像Ｖｓが表示用画像Ｖｄの大半（６０％以上、あるいは８０％以上）を占めている場合の表示例を示す説明図である。このような状態での表示例において、タッチパネル１３へのタッチ操作によりＬ方向またはＲ方向のスクロール指示がなされたことが操作検出部１１ｂにより検出されると、表示画像作成部２１は、図１４に示すように、情報画像Ｖｍの表示状態（表示位置）を維持したまま、サムネイル画像Ｖｓをスクロール指示に応じて順次変更する表示用画像Ｖｄを作成して画面２４ａに表示させる。すなわち、サムネイル画像Ｖｓのみが順次スクロール表示される表示態様となる。
【００６１】
つづいて、図１５で上述したような表示制御を実現するための制御部１１および表示画像作成部２１による動作制御例について説明する。図１５は、制御部１１により実行される画像表示の動作制御例を示すメインフローチャートである。まず、制御部１１は、表示モード設定操作部１２ｃがマルチ画面表示モードの指示状態に設定されているか否かを、操作検出部１１ｂを通じて判定する（ステップＳ１０）。マルチ画面表示モードに設定されていなければ（ステップＳ１０；Ｎｏ）、通常の表示モードであり、モード設定操作部１２ｄにより設定されているモードを、操作検出部１１ｂを通じて判定する（ステップＳ１１）。判定の結果、撮影実行モードであれば、ライブビュー画像を画面２４ａに表示させる（ステップＳ１２）。再生実行モードであれば、再生画像を画面２４ａに表示させる（ステップＳ１３）。撮影条件設定モードであれば、撮影メニューを画面２４ａに表示させる（ステップＳ１４）。再生条件設定モードであれば、再生メニューを画面２４ａに表示させる（ステップＳ１５）。
【００６２】
一方、マルチ画面表示モードに設定されていれば（ステップＳ１０；Ｙｅｓ）、表示画像制御部１１ａは、表示画像作成部２１に表示用画像Ｖｄとしてのデフォルト画像を作成させ、画面２４ａに表示させる（ステップＳ２０）。デフォルト画像としては、例えば図４に示したようなライブビュー画像Ｖａが作成される。
【００６３】
このような表示状態において、表示画像制御部１１ａは、操作検出部１１ｂの検出出力を監視することにより、表示範囲の変更指示を示す移動操作があったか否かを判定する（ステップＳ２１）。移動操作があった場合には（ステップＳ２１；Ｙｅｓ）、表示画像制御部１１ａは、表示画像作成部２１に表示用画像Ｖｄを作成させて画面２４ａに表示させる制御を行う（ステップＳ２２）。移動操作がなければ（ステップＳ２１；Ｎｏ）、ステップＳ２２の処理をジャンプする。
【００６４】
また、表示画像制御部１１ａは、操作検出部１１ｂの検出出力を監視することにより、撮影メニューまたは再生メニューに関してメニュー選択操作があったか否かを判定する（ステップＳ２３）。メニュー選択操作があった場合には（ステップＳ２３；Ｙｅｓ）、メニュー設定処理を行う（ステップＳ２４）。メニュー選択操作がなければ（ステップＳ２３；Ｎｏ）、ステップＳ２４の処理をジャンプする。
【００６５】
さらに、表示画像制御部１１ａは、操作検出部１１ｂの検出出力を監視することにより、レリーズ操作部１２ａのレリーズ操作があったか否かを判定する（ステップＳ２５）。画面表示状態に関係なく、レリーズ操作部１２ａのレリーズ操作による撮影は、常に割込み可能に設定されているためである。レリーズ操作により特定の指示として撮影指示があった場合には（ステップＳ２５；Ｙｅｓ）、表示画像制御部１１ａは、表示画像作成部２１に表示用画像Ｖｄとしてライブビュー画像Ｖａを作成させて画面２４ａに表示させる制御を行い（ステップＳ２６）、実際に撮影処理を実行する（ステップＳ２７）。レリーズ操作がなければ（ステップＳ２５；Ｎｏ）、ステップＳ２６，Ｓ２７の処理をジャンプする。
【００６６】
その後、表示画像制御部１１ａは、操作検出部１１ｂの検出出力を監視することにより、表示モード設定操作部１２ｃが通常の表示モードに切換えられたか否かを判定する（ステップＳ２８）。切換えられた場合には（ステップＳ２８；Ｙｅｓ）、ステップＳ１１に移行する。一方、切換えられていない場合には（ステップＳ２８；Ｎｏ）、図示しない電源スイッチがオフされる等の停止操作がなされたか否かを判定する（ステップＳ２９）。停止操作がなされた場合には（ステップＳ２９；Ｙｅｓ）、一連の処理を終了する。一方、停止操作がなされていなければ（ステップＳ２９；Ｎｏ）、ステップＳ２１以降の処理を同様に繰り返す。
【００６７】
図１６は、ステップＳ２２の画面作成処理のサブルーチンを示すフローチャートである。まず、現在の表示用画像Ｖｄが初期画面用のライブビュー画像Ｖａであるか否かを判定する（ステップＳ４１）。ライブビュー画像Ｖａの表示状態であれば（ステップＳ４１；Ｙｅｓ）、表示画像制御部１１ａは、操作検出部１１ｂの検出出力を監視することにより、移動操作の操作方向を検出する（ステップＳ４２）。そして、検出された操作方向に応じて、全体画像Ｖｔを構成する情報画像Ｖｍの結合位置を設定する（ステップＳ４３）。すなわち、表示画像制御部１１ａは、表示画像作成部２１を制御して、その操作方向に移動するライブビュー画像Ｖａの後端に情報画像Ｖｍが結合されるようにライブビュー画像Ｖａに対する情報画像Ｖｍの結合位置を設定して全体画像Ｖｔを構成させる。
【００６８】
この後、あるいは、ライブビュー画像Ｖａの表示状態でない場合には（ステップＳ４１；Ｎｏ）、表示画像制御部１１ａは、操作検出部１１ｂの検出出力を監視することにより、ライブアイコンＬｉがタッチ操作されたか否かを判定する（ステップＳ４４）。ライブアイコンＬｉがタッチ操作された場合には（ステップＳ４４；Ｙｅｓ）、表示画像制御部１１ａは、表示画像作成部２１に表示用画像Ｖｄとしてライブビュー画像Ｖａのみを作成させて画面２４ａに表示させる制御を行う（ステップＳ４５）。例えば、図８（ｂ）のような表示状態において、ライブアイコンＬｉがタッチ操作され、図８（ｃ）の表示状態に移行する場合が相当する。
【００６９】
一方、ライブアイコンＬｉがタッチ操作されていない場合には（ステップＳ４４；Ｎｏ）、表示画像制御部１１ａは、操作検出部１１ｂの検出出力を監視することにより、メニューアイコンＭｉがタッチ操作されたか否かを判定する（ステップＳ４６）。メニューアイコンＭｉがタッチ操作された場合には（ステップＳ４６；Ｙｅｓ）、表示画像制御部１１ａは、表示画像作成部２１に表示用画像Ｖｄとして情報画像Ｖｍのみを作成させて画面２４ａに表示させる制御を行う（ステップＳ４７）。例えば、図９（ａ）のような表示状態において、メニューアイコンＭｉがタッチ操作され、図９（ｂ）の表示状態に移行する場合が相当する。
【００７０】
また、メニューアイコンＭｉがタッチ操作されていない場合には（ステップＳ４６；Ｎｏ）、表示画像制御部１１ａは、操作検出部１１ｂの検出出力を監視することにより、ズーム操作部１２ｂによるズーム操作により拡大縮小指示がされたか否かを判定する（ステップＳ４８）。ズーム操作された場合には（ステップＳ４８；Ｙｅｓ）、表示画像制御部１１ａは、画面２４ａに表示されている表示用画像Ｖｄは、主にサムネイル画像Ｖｓからなるか否かを判定する（ステップＳ４９）。例えば、画面２４ａ上でサムネイル画像Ｖｓが８０％以上占める状態であれば、主にサムネイル画像Ｖｓからなると判定すればよい。主にサムネイル画像Ｖｓからなる場合には（ステップＳ４９；Ｙｅｓ）、表示画像制御部１１ａは、拡大縮小指示に応じた態様として、表示画像作成部２１にサムネイル画像Ｖｓのみを拡大縮小させた表示用画像Ｖｄを作成させて画面２４ａに表示させる制御を行う（ステップＳ５０）。図１２（ｂ）または図１２（ｃ）に示した表示例が相当する。
【００７１】
主にサムネイル画像Ｖｓではない場合には（ステップＳ４９；Ｎｏ）、表示画像制御部１１ａは、画面２４ａに表示されている表示用画像Ｖｄは、主にライブビュー画像Ｖａからなるか否かを判定する（ステップＳ５１）。例えば、画面２４ａ上でライブビュー画像Ｖａが８０％以上占める状態であれば、主にライブビュー画像Ｖａからなると判定すればよい。主にライブビュー画像Ｖａからなる場合には（ステップＳ５１；Ｙｅｓ）、表示画像制御部１１ａは、拡大縮小指示に応じた態様として、表示画像作成部２１にライブビュー画像Ｖａのみを拡大縮小させた表示用画像Ｖｄを作成させて画面２４ａに表示させる制御を行う（ステップＳ５２）。一方、主にライブビュー画像Ｖａではない場合には（ステップＳ５１；Ｎｏ）、表示画像制御部１１ａは、拡大縮小指示に応じた態様として、表示画像作成部２１に画面全体を拡大縮小させた表示用画像Ｖｄを作成させて画面２４ａに表示させる制御を行う（ステップＳ５３）。図１１（ｂ）に示した表示例が相当する。
【００７２】
さらに、ズーム操作でない場合には（ステップＳ４８；Ｎｏ）、表示画像制御部１１ａは、操作検出部１１ｂの検出出力を監視することにより、タッチパネル１３に対するスクロール操作により縦スクロール操作がなされたか否かを判定する（ステップＳ５４）。縦スクロール操作された場合には（ステップＳ５４；Ｙｅｓ）、表示画像制御部１１ａは、画面２４ａに表示されている表示用画像Ｖｄは、主にサムネイル画像Ｖｓからなるか否かを判定する（ステップＳ５５）。主にサムネイル画像Ｖｓからなる場合には（ステップＳ５５；Ｙｅｓ）、表示画像制御部１１ａは、縦スクロール指示に応じた態様として、表示画像作成部２１にサムネイル画像Ｖｓのみを縦スクロールさせた表示用画像Ｖｄを作成させて画面２４ａに表示させる制御を行う（ステップＳ５６）。図１３（ｂ）に示した表示例が相当する。一方、主にサムネイル画像Ｖｓではない場合には（ステップＳ５５；Ｎｏ）、表示画像制御部１１ａは、縦スクロール指示に応じた態様として、表示画像作成部２１に画面全体を縦スクロールさせた表示用画像Ｖｄを作成させて画面２４ａに表示させる制御を行う（ステップＳ５７）。
【００７３】
そして、縦スクロール操作でない場合には（ステップＳ５４；Ｎｏ）、表示画像制御部１１ａは、表示中の画面２４ａにライブビュー画像Ｖａがないか否かを判定する（ステップＳ５８）。ライブビュー画像Ｖａがある場合には（ステップＳ５８；Ｎｏ）、表示画像制御部１１ａは、ライブアイコンＬｉの表示があるか否かを判定する（ステップＳ５９）。ライブアイコンＬｉの表示がある場合には（ステップＳ５９；Ｙｅｓ）、ライブアイコンＬｉを削除する処理を行う（ステップＳ６０）。ライブアイコンＬｉの表示がなければ（ステップＳ５９；Ｎｏ）、ステップＳ６０の処理をジャンプする。ライブビュー画像Ｖａがない場合には（ステップＳ５８；Ｙｅｓ）、表示画像制御部１１ａは、表示画像作成部２１にライブアイコンＬｉを付加した表示用画像Ｖｄを作成させて画面２４ａに表示させる制御を行う（ステップＳ６１）。図８（ｂ）等に示す表示例が相当する。
【００７４】
さらに、表示画像制御部１１ａは、表示中の画面２４ａがサムネイル画像Ｖｓのみであるか否かを判定する（ステップＳ６２）。サムネイル画像Ｖｓのみでなく情報画像Ｖｍが含まれている場合には（ステップＳ６２；Ｎｏ）、表示画像制御部１１ａは、メニューアイコンＭｉの表示があるか否かを判定する（ステップＳ６３）。メニューアイコンＭｉの表示がある場合には（ステップＳ６３；Ｙｅｓ）、メニューアイコンＭｉを削除する処理を行う（ステップＳ６４）。メニューアイコンＭｉの表示がなければ（ステップＳ６３；Ｎｏ）、ステップＳ６４の処理をジャンプする。サムネイル画像Ｖｓのみの場合には（ステップＳ６２；Ｙｅｓ）、表示画像制御部１１ａは、表示画像作成部２１にメニューアイコンＭｉを付加した表示用画像Ｖｄを作成させて画面２４ａに表示させる制御を行う（ステップＳ６５）。図９（ａ）等に示す表示例が相当する。
【００７５】
その後、表示画像制御部１１ａは、その他の操作（例えば、横スクロール操作等）に従い、表示画像作成部２１に操作指示に応じた態様で表示用画像Ｖｄを作成させて画面２４ａに表示させる制御を行う（ステップＳ６６）。
【００７６】
図１７は、ステップＳ２４のメニュー設定処理のサブルーチンを示すフローチャートである。まず、表示画像制御部１１ａは、下位の階層の表示指示があったか否かを判定する（ステップＳ７１）。上位の階層のメニュー情報がタッチ選択されることで、下位の階層の表示指示があった場合には（ステップＳ７１；Ｙｅｓ）、表示画像制御部１１ａは、表示画像作成部２１に下位階層のメニュー画像を含む表示用画像Ｖｄを作成させて画面２４ａに表示させる制御を行う（ステップＳ７２）。図８（ｂ）に示す表示例が相当する。下位の階層の表示指示がなければ（ステップＳ７１；Ｎｏ）、ステップＳ７２の処理はジャンプする。そして、画面２４ａ上で、メニュー選択操作があったか否かを判定し（ステップＳ７３）、メニュー選択操作があった場合には（ステップＳ７３；Ｙｅｓ）、メニュー選択操作に従い撮影条件または再生条件の条件設定処理を実行する（ステップＳ７４）。
【００７７】
このように、本実施の形態によれば、ライブビュー画像Ｖａと操作に関する情報を表す情報画像Ｖｍとを結合させて構成される全体画像Ｖｔの中から、操作指示に応じた態様で、画面対応の所定の範囲について作成された表示用画像Ｖｄが表示部２４に表示されるので、ユーザは、表示されている画像に対して表示範囲変更の操作指示を行うだけで、モード切換えボタンによるモード切換え操作を行うことなく、所望のモード表示状態へ変更することができる。よって、従来のようなモード切換えボタンによるモード切換え操作を特に行う必要がなく、全体画像Ｖｔを移動させて表示部分を変更させるイメージで表示範囲の変更を指示するという感覚的な操作指示を行えばよく、カメラ操作に不慣れなユーザであっても、迷うことなく操作性よく対応することができる。特に、操作指示された移動方向に基づきライブビュー画像Ｖａの後端に情報画像Ｖｍを結合させて構成される全体画像Ｖｔを利用することで、ライブビュー画像Ｖａをいずれの方向に移動操作させても情報画像が出現するので、感覚的な操作がより容易となる。
【００７８】
また、本実施の形態によれば、情報画像Ｖｍは、撮影条件設定用の撮影メニュー情報Ｍｒを表わす撮影メニュー画像Ｖｒと再生条件設定用の再生メニュー情報Ｍｐを表わす再生メニュー画像Ｖｐとを結合させた画像からなるので、撮影メニュー画像Ｖｒと再生メニュー画像Ｖｐとの表示状態の移行についても、従来のようなモード切換えボタンによるモード切換え操作を特に行う必要がなく、表示範囲変更の操作指示という感覚的な操作で対応することができる。
【００７９】
さらに、本実施の形態によれば、画像記憶部２０に記憶された撮影済みの撮影画像に基づく再生画像Ｖｂも全体画像Ｖｔの構成画像に含まれ、このような全体画像Ｖｔの中から表示用画像Ｖｄが作成されるので、ライブビュー画像Ｖａ、情報画像Ｖｍ、再生画像Ｖｂの相互間のモード表示状態の移行についても、従来のようなモード切換えボタンによるモード切換え操作を特に行う必要がなく、表示範囲変更の操作指示という感覚的な操作で対応することができる。特に、本実施の形態によれば、再生画像Ｖｂをサムネイル画像Ｖｓとして表現しているので、表示範囲の限られた表示部２４であっても、多数枚の画像を同時に表示させることができ、撮影済み画像を簡易に閲覧することができる。
【００８０】
また、本実施の形態によれば、サムネイル画像が画面の大半を占めている場合において、ユーザにより拡大縮小指示がなされたときには、サムネイル画像を指示対象として拡大縮小の指示がなされることがほとんどであるので、情報画像の表示サイズを維持したまま、サムネイル画像の表示サイズのみを拡大縮小指示に応じて変更させることにより、ユーザの意図に即した表示制御が可能となる。
【００８１】
また、本実施の形態によれば、サムネイル画像が画面の大半を占めている場合において、ユーザによりスクロール指示がなされたときには、サムネイル画像を指示対象としてスクロール指示がなされることがほとんどであるので、情報画像の表示状態を維持したまま、サムネイル画像の表示サイズのみをスクロール指示に応じて変更させることにより、ユーザの意図に即した表示制御が可能となる。
【００８２】
また、本実施の形態によれば、表示部２４に重ねて配設されたタッチパネル１３を備えるので、表示されている画像に対して表示範囲変更の操作指示を表示部２４の画面２４ａ上で行うことができ、表示範囲変更の操作指示を感覚的に行うことが一層容易となる。
【００８３】
また、本実施の形態によれば、特定の指示が検出されたときには、この特定の指示に従い、ライブビュー画像Ｖａまたは情報画像Ｖｍのみを表示させる表示用画像Ｖｄを作成するようにしたので、通常のボタンによる切換えと似たような操作で一気に特定の画像を表示させることもでき、よって、場面によって使い分けることで操作態様を広げることができる。
【００８４】
また、本実施の形態によれば、特定の指示としてレリーズ操作部１２ａが操作されることで撮影指示が検出されたときには、この特定の指示に従い、ライブビュー画像Ｖａのみを表示させる表示用画像Ｖｄを作成するようにしたので、撮影実行モードが優先され、現在の表示状態に関係なくユーザは所望のときにレリーズ操作部１２ａを操作すればよく、シャッタチャンスを逃がさないようにすることができる。
【００８５】
本発明は、上述した実施の形態に限らず、本発明の趣旨を逸脱しない範囲であれば、種々の変形が可能であり、それらを本発明の範囲から排除するものではない。すなわち、本発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより、種々の発明を構成できる。例えば、実施の形態に示される全構成要素から幾つかの構成要素を削除してもよい。さらに、異なる構成要素を適宜追加して組み合わせてもよい。
【００８６】
例えば、本実施の形態においては、通常の表示モードとマルチ画面表示モードとの切換えは、表示モード設定操作部１２ｃによらず、ソフトウェア上のスイッチ設定により通常の表示モードとマルチ画面表示モードとの切換えを行えるようにしてもよい。あるいは、モード設定操作部１２ｄとともに通常の表示モードを省略し、マルチ画面表示モードのみとしてもよい。
【００８７】
また、本実施の形態では、タッチパネル１３上の方向指示によりスクロール指示を含む表示範囲変更の指示を行わせるようにしたが、タッチパネル１３を備えない機種の場合であれば、方向操作部１２ｅによる方向指示操作により行うようにしてもよい。この場合、メニュー選択等も、方向操作部１２ｅの操作により行うこととなるが、方向操作部１２ｅの押し方の違い（例えば、半押しと長押し）で、画面スクロール移動とメニュー選択用のカーソル移動とを切換えるようにすればよい。
【００８８】
また、本実施の形態では、画像として静止画像データの例で説明したが、動画像データの場合であっても同様に適用可能である。また、カメラとしては、デジタルカメラ１の例で説明したが、携帯電話のカメラ部やパソコン付属のカメラ部等に適用してもよい。
【００８９】
また、表示用画像作成については表示画像作成部２１によるハードウェア、その制御等については表示画像制御部１１ａを含む制御部１１によるソフトウェアによって処理するように説明したが、構成の具体例はこれに限るものではない。これらの処理を、ハードウェア処理とソフトウェア処理のいずれか一方あるいは適宜組み合わせて行なうことは設計事項である。
【００９０】
そして、本実施の形態の全てあるいは一部がソフトウェア処理で処理が実行される場合には、制御部１１がプログラムデータ記憶部１４に格納された画像表示用プログラムを読み出して実行されることで、かかるソフトウェア処理が実現されるので、このようなソフトウェア処理に関する画像表示用プログラムも本発明となる。また、このような画像表示用プログラムが記録された記録媒体も本発明となる。なお、プログラムを格納する記録媒体としては、フラッシュメモリに限定されるものではなく、ＣＤ−ＲＯＭ、ＤＶＤ−ＲＯＭ等の光学記録媒体、ＭＤ等の磁気記録媒体、テープ媒体、ＩＣカードなどの半導体メモリであってもよい。さらに、画像表示用プログラムとしては、ネットワークを介して外部の記録媒体から入手されるもの、例えば、ホームページからダウンロードされるものも当然含まれる。このような場合には、ユーザに対してダウンロードさせるＷＷＷサーバやｆｔｐサーバ等も本発明の範囲に含まれるものである。
【図面の簡単な説明】
【００９１】
【図１】本発明の実施の形態のデジタルカメラの概略構成例を示す背面図である。
【図２】本実施の形態のデジタルカメラのシステム構成例を示すブロック図である。
【図３】マルチ画面表示モードによる表示開始時からの全体画像の構成の仕方を模式的に示す説明図である。
【図４】表示用画像を作成する基礎となる左側展開の全体画像の構成例を模式的に示す説明図である。
【図５】表示用画像を作成する基礎となる右側展開の全体画像の構成例を模式的に示す説明図である。
【図６】表示用画像を作成する基礎となる下側展開の全体画像の構成例を模式的に示す説明図である。
【図７】表示用画像を作成する基礎となる上側展開の全体画像の構成例を模式的に示す説明図である。
【図８】スタート時の画面からＲ方向にスクロール指示がされた場合に表示される表示用画像の例を示す説明図である。
【図９】サムネイル画像のみの表示用画像およびメニューアイコンにタッチ操作された場合に表示される表示用画像の表示例を示す説明図である。
【図１０】情報画像に関する下位階層メニューの表示例を示す説明図である。
【図１１】通常の拡大縮小表示例を示す説明図である。
【図１２】主にサムネイル画像の場合の拡大縮小表示例を示す説明図である。
【図１３】主にサムネイル画像の場合の縦スクロール表示例を示す説明図である。
【図１４】下側展開の全体画像に関して主にサムネイル画像の場合の左右スクロール表示例を示す説明図である。
【図１５】制御部により実行される画像表示の動作制御例を示すメインフローチャートである。
【図１６】ステップＳ２２の画面作成処理のサブルーチンを示すフローチャートである。
【図１７】ステップＳ２４のメニュー設定処理のサブルーチンを示すフローチャートである。
【符号の説明】
【００９２】
１  デジタルカメラ
１１ａ  表示画像制御部
１１ｂ  操作検出部
１３  タッチパネル
１５  撮像部
２０  画像記憶部
２１  表示画像作成部
２４  表示部
２４ａ  画面
Ｖｔ  全体画像
Ｖｄ  表示用画像
Ｖａ  ライブビュー画像
Ｖｍ  情報画像
Ｖｒ  撮影メニュー画像
Ｖｐ  再生メニュー画像
Ｖｂ  再生画像
Ｖｓ  サムネイル画像
Ｍｒ  撮影メニュー情報
Ｍｐ  再生メニュー情報
【図１】
2010124242.tif 000003
【図２】
2010124242.tif 000004
【図３】
2010124242.tif 000005
【図４】
2010124242.tif 000006
【図５】
2010124242.tif 000007
【図６】
2010124242.tif 000008
【図７】
2010124242.tif 000009
【図８】
2010124242.tif 000010
【図９】
2010124242.tif 000011
【図１０】
2010124242.tif 000012
【図１１】
2010124242.tif 000013
【図１２】
2010124242.tif 000014
【図１３】
2010124242.tif 000015
【図１４】
2010124242.tif 000016
【図１５】
2010124242.tif 000017
【図１６】
2010124242.tif 000018
【図１７】
2010124242.tif 000019